【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
一のプレイヤがパネル上に載置した複数の操作媒体への操作により、それぞれの前記操作媒体と対応付けられたゲーム内の複数の操作対象を操作するゲーム装置であって、
前記パネル上に載置した複数の操作媒体から、他のプレイヤに操作させる前記他のプレイヤ用の前記操作対象に対応した操作媒体の選択を前記一のプレイヤから受け付ける選択受付手段と、
前記他のプレイヤが操作する端末装置からの認証要求を受け付け、認証を行う認証処理手段と、
前記他のプレイヤ用の前記操作対象に対応した操作媒体への仮想的な操作として、前記認証に成功した前記他のプレイヤが操作する端末装置から操作入力を受け付ける端末操作処理手段と、
前記端末装置から受け付けた前記他のプレイヤ用の前記操作媒体への仮想的な操作と前記一のプレイヤによる前記他のプレイヤ用の前記操作対象に対応した操作媒体以外の前記操作媒体への操作とに基づく、前記操作対象に対する操作によりゲームを進行させるゲーム処理手段と、
を有するゲーム装置。
【請求項２】
前記一のプレイヤ又は前記他のプレイヤからの要求により前記他のプレイヤ用の前記操作対象に対応した操作媒体の選択を解除させる選択解除手段
を更に有する請求項１記載のゲーム装置。
【請求項３】
前記選択受付手段は、前記ゲームの進行が開始される前に、前記他のプレイヤ用の前記操作対象に対応した操作媒体の選択を前記一のプレイヤから受け付けること
を特徴とする請求項２記載のゲーム装置。
【請求項４】
前記選択解除手段は、前記ゲームの進行が開始された後に、前記一のプレイヤ又は前記他のプレイヤから、前記他のプレイヤ用の前記操作対象に対応した操作媒体の選択を解除させる要求を受け付けること
を特徴とする請求項２又は３記載のゲーム装置。
【請求項５】
一のプレイヤがゲーム内の複数の操作対象を操作するゲーム装置であって、
前記複数の操作対象から、他のプレイヤに操作させる前記他のプレイヤ用の前記操作対象の選択を前記一のプレイヤから受け付ける選択受付手段と、
前記他のプレイヤが操作する端末装置からの認証要求を受け付け、認証を行う認証処理手段と、
前記他のプレイヤ用の前記操作対象への操作を、前記認証に成功した前記他のプレイヤが操作する端末装置から受け付ける端末操作処理手段と、
前記端末装置から受け付けた前記他のプレイヤ用の前記操作対象への操作と前記一のプレイヤによる前記他のプレイヤ用の前記操作対象以外の前記操作対象への操作とによりゲームを進行させるゲーム処理手段と、
前記一のプレイヤ又は前記他のプレイヤからの要求により前記他のプレイヤ用の前記操作対象の選択を解除させる選択解除手段と、
を有するゲーム装置。
【請求項６】
前記選択受付手段は、前記ゲームの進行が開始される前に、前記他のプレイヤ用の前記操作対象の選択を前記一のプレイヤから受け付けること
を特徴とする請求項５記載のゲーム装置。
【請求項７】
前記選択解除手段は、前記ゲームの進行が開始された後に、前記一のプレイヤ又は前記他のプレイヤから、前記他のプレイヤ用の前記操作対象の選択を解除させる要求を受け付けること
を特徴とする請求項５又は６記載のゲーム装置。
【請求項８】
前記操作対象に対する操作は、前記一のプレイヤがパネル上に載置した複数の操作媒体への操作により、それぞれの前記操作媒体と対応付けられたゲーム内の複数の操作対象を操作するものと、
前記パネル上に載置した複数の操作媒体から前記一のプレイヤにより選択された、他のプレイヤに操作させる前記他のプレイヤ用の前記操作対象に対応した操作媒体への前記認証に成功した前記他のプレイヤが操作する端末装置からの仮想的な操作によるものと、を含むこと
を特徴とする請求項５乃至７何れか一項記載のゲーム装置。
【請求項９】
一のプレイヤがパネル上に載置した複数の操作媒体への操作により、それぞれの前記操作媒体と対応付けられたゲーム内の複数の操作対象を操作するゲーム装置を、
前記パネル上に載置した複数の操作媒体から、他のプレイヤに操作させる前記他のプレイヤ用の前記操作対象に対応した操作媒体の選択を前記一のプレイヤから受け付ける選択受付手段、
前記他のプレイヤが操作する端末装置からの認証要求を受け付け、認証を行う認証処理手段、
前記他のプレイヤ用の前記操作対象に対応した操作媒体への仮想的な操作として、前記認証に成功した前記他のプレイヤが操作する端末装置から操作入力を受け付ける端末操作処理手段、
前記端末装置から受け付けた前記他のプレイヤ用の前記操作媒体への仮想的な操作と前記一のプレイヤによる前記他のプレイヤ用の前記操作対象に対応した操作媒体以外の前記操作媒体への操作とに基づく、前記操作対象に対する操作によりゲームを進行させるゲーム処理手段、
として機能させるためのプログラム。
【請求項１０】
一のプレイヤがパネル上に載置した複数の操作媒体への操作により、それぞれの前記操作媒体と対応付けられたゲーム内の複数の操作対象を操作するゲーム装置と、他のプレイヤが操作する操作端末と、を含むゲームシステムであって、
前記ゲーム装置は、
前記パネル上に載置した複数の操作媒体から、他のプレイヤに操作させる前記他のプレイヤ用の前記操作対象に対応した操作媒体の選択を前記一のプレイヤから受け付ける選択受付手段と、
前記他のプレイヤが操作する端末装置からの認証要求を受け付け、認証を行う認証処理手段と、
前記他のプレイヤ用の前記操作対象に対応した操作媒体への仮想的な操作として、前記認証に成功した前記他のプレイヤが操作する端末装置から操作入力を受け付ける端末操作処理手段と、
前記端末装置から受け付けた前記他のプレイヤ用の前記操作媒体への仮想的な操作と前記一のプレイヤによる前記他のプレイヤ用の前記操作対象に対応した操作媒体以外の前記操作媒体への操作とに基づく、前記操作対象に対する操作によりゲームを進行させるゲーム処理手段と、
を有し、
前記操作端末は、
前記他のプレイヤから前記他のプレイヤ用の前記操作媒体への仮想的な操作を受け付ける操作画面の表示を制御する操作画面制御手段と、
前記操作画面を介して前記他のプレイヤから受け付けた前記他のプレイヤ用の前記操作媒体への仮想的な操作を前記ゲーム装置に送信する操作内容送信手段と、
を有するゲームシステム。
【手続補正２】
【補正対象書類名】明細書
【補正対象項目名】０００７
【補正方法】変更
【補正の内容】
【０００７】
上記した課題を解決するために、本願請求項１は、一のプレイヤがパネル上に載置した複数の操作媒体への操作により、それぞれの前記操作媒体と対応付けられたゲーム内の複数の操作対象を操作するゲーム装置であって、前記パネル上に載置した複数の操作媒体から、他のプレイヤに操作させる前記他のプレイヤ用の前記操作対象に対応した操作媒体の選択を前記一のプレイヤから受け付ける選択受付手段と、前記他のプレイヤが操作する端末装置からの認証要求を受け付け、認証を行う認証処理手段と、前記他のプレイヤ用の前記操作対象に対応した操作媒体への仮想的な操作として、前記認証に成功した前記他のプレイヤが操作する端末装置から操作入力を受け付ける端末操作処理手段と、前記端末装置から受け付けた前記他のプレイヤ用の前記操作媒体への仮想的な操作と前記一のプレイヤによる前記他のプレイヤ用の前記操作対象に対応した操作媒体以外の前記操作媒体への操作とに基づく、前記操作対象に対する操作によりゲームを進行させるゲーム処理手段と、を有することを特徴とする。